(57)【特許請求の範囲】
【請求項１】
園芸用施設のカーテン開閉装置であって、
前記園芸用施設の奥行方向に配置される複数の支持手段と、
前記支持手段によって支持され、前記支持手段に沿って案内されることで、前記園芸用施設の奥行方向に沿って開閉するカーテンと、
前記カーテンの奥行方向の端部に連結され、前記カーテンの開閉を操作する操作手段と、
を備え、
前記カーテンの奥行方向の端部に、左右の傾斜フレームにより山形をなす移動フレームが連結され、
前記操作手段は前記左右の傾斜フレームにそれぞれ連結されることを特徴とする、園芸用施設のカーテン開閉装置。
【請求項２】
前記操作手段は、
前記左右の傾斜フレームに上端を連結される左右一対の吊下部材と、
前記各吊下部材の下端が連結される操作フレームと、
を備えたことを特徴とする、請求項１に記載の園芸用施設のカーテン開閉装置。
【請求項３】
前記操作フレームの長さ方向の中心は、前記移動フレームの山形の頂点とほぼ一致することを特徴とする、請求項２に記載の園芸用施設のカーテン開閉装置。
【請求項４】
前記吊下部材の上端が傾斜フレームに連結される箇所は、左右の各傾斜フレームの長さ方向のほぼ中心と一致することを特徴とする、請求項２又は３に記載の園芸用施設のカーテン開閉装置。
【請求項５】
園芸用施設のカーテン開閉装置であって、
前記園芸用施設の奥行方向に配置される複数の支持手段と、
前記支持手段によって支持され、前記支持手段に沿って案内されることで、前記園芸用施設の奥行方向に沿って開閉するカーテンと、
前記カーテンの奥行方向の端部に連結され、前記カーテンの開閉を操作する操作手段と、
前記カーテンの奥行方向の端部に複数の牽引手段と、
を備え、
前記各牽引手段の一端は、前記カーテンの奥行方向の端部に連結され、
前記各牽引手段の他端は、連結部において相互に連結され、
前記操作手段は、前記連結部に連結されることを特徴とする、園芸用施設のカーテン開閉装置。
【請求項６】
前記支持手段は、少なくとも３本のレール及びレール内を走行する複数のランナであり、前記３本のレールは中央上部に配置される中央レールと、前記中央レールよりも下方の位置で左右に配置される２本の端部レールと、から構成され、
前記連結部の高さは、前記端部レールの設置高さよりも上方であることを特徴とする、請求項５に記載の園芸用施設のカーテン開閉装置。
【請求項７】
園芸用施設のカーテン開閉装置であって、
前記園芸用施設の奥行方向に配置される複数の支持手段と、
前記支持手段によって支持され、前記支持手段に沿って案内されることで、前記園芸用施設の奥行方向に沿って開閉するカーテンと、
前記カーテンの奥行方向の端部の複数個所に連結される操作手段と、
を備え、
前記操作手段は、前記操作手段を持って前記園芸用施設の奥行き方向に移動することにより前記カーテンの開閉を操作可能に構成されていることを特徴とする、園芸用施設のカーテン開閉装置。
【発明の詳細な説明】
【技術分野】
【０００１】
本発明は、園芸用施設のカーテン開閉装置に関する。
【背景技術】
【０００２】
従来の園芸用施設のカーテン開閉装置としては、特開２０１４−５７５６７号公報（特許文献１）に示されるものがある。これに示されるものは、互いに対向する一対の側壁と一対の側壁の上端同士を繋ぐ屋根が奥行方向に延長されたハウス本体の内側において、屋根に沿ってカーテンを設けたものである。カーテンは奥行方向に延長されている支持部にて支持されて奥行方向に沿って開閉するように構成されている。
【０００３】
カーテンの支持部は一対の側壁の対向方向である幅方向に３本以上並べて設けられており、側壁から離れるほどカーテンの高さが高くなる。また、カーテンは、奥行方向の各自由端において、少なくとも一対の側壁の対向方向の両端間を連結する棒状の芯材を有しており、芯材が支持部に沿って奥行方向に移動することにより開閉する。
【０００４】
このような構成により、特許文献１に示されるものは、カーテンが、支持部に沿って奥行方向に開閉するように構成されているので、全開状態のカーテンによる日射量の低下を抑制できる。
【０００５】
また、カーテンは、支持部によって、ハウスの幅方向における中央部ほど高い位置に支持されることになるため、ハウス本体内で立って作業するユーザの邪魔になりにくい。さらに、カーテンは、妻壁の幅方向における中央部で且つ上端部付近に設けられているファンとの干渉を避けることができるので、ファンによって生じる空気流の妨げとなることを回避できる。
【０００６】
また、カーテンの自由端に設けられた棒状の芯材の両端部を同時に移動させることができるため、カーテンの自由端の両端が奥行方向に一斉に移動し、幅方向においてカーテンの開度のばらつきを抑制できる。
【先行技術文献】
【特許文献】
【０００７】
【特許文献１】特開２０１４−５７５６７号公報
【発明の概要】
【発明が解決しようとする課題】
【０００８】
ところで、カーテンを開閉するための装置は、奥行き方向両端に定滑車を設置し、定滑車に間に架かる環状の紐体にカーテンの自由端を連結するようにしたものをハウス幅方向の両端に２箇所設置したものであり、左右の定滑車をシャフトにて連結することで２つの定滑車を同時に回転させ、カーテンを開閉するようにしている。このため、カーテンを開閉するためのカーテン開閉装置の設置作業が煩わしく、設置コストが高くなるという問題があった。
【０００９】
本発明は、上記背景技術が有する問題に鑑みてなされたもので、その目的とするところは、カーテン開閉装置の設置作業の負担及び設置コストを低減することの可能な、園芸用施設のカーテン開閉装置を提供することにある。
【課題を解決するための手段】
【００１０】
上記課題を解決するために、本発明によれば、園芸用施設のカーテン開閉装置であって、前記園芸用施設の奥行方向に配置される複数の支持手段と、前記支持手段によって支持され、前記支持手段に沿って案内されることで、前記園芸用施設の奥行方向に沿って開閉するカーテンと、前記カーテンの奥行方向の端部に連結され、前記カーテンの開閉を操作する操作手段と、を備えたことを特徴とする、園芸用施設のカーテン開閉装置が提供される。
【００１１】
かかる構成によれば、カーテン開閉装置は、支持手段、カーテン及び操作手段で構成されるため、部材が少なく、カーテン開閉装置の設置作業の負担及び設置コストを低減することができる。また、例えば、カーテンの支持手段によって支持される部分から操作手段を垂下させると、垂下した操作手段を持って安定して開閉操作することができる。
【００１２】
本発明は、様々な応用例が考えられる。例えば、前記カーテンの奥行方向の端部に、左右の傾斜フレームにより山形をなす移動フレームが連結され、前記操作手段は前記左右の傾斜フレームにそれぞれ連結されるようにしてもよい。かかる構成によれば、操作手段を移動フレームの左右の傾斜フレームにそれぞれ連結されるよう構成することで、操作手段は移動フレームの２箇所のポイントを安定して牽引できる。このため、カーテン開閉装置を複数箇所設置する必要がない。このようにして、カーテン開閉装置の設置作業の負担及び設置コストを低減することができる。
【００１３】
また、前記操作手段は、前記左右の傾斜フレームに上端を連結される左右一対の吊下部材と、前記各吊下部材の下端が連結される操作フレームと、を備えた構成としてもよい。かかる構成によれば、操作手段を構成する左右一対の吊下部材によって、移動フレームの左右のバランスをとりながら牽引できるため、カーテンの開閉をスムーズに行うことができる。
【００１４】
また、前記操作フレームの長さ方向の中心は、前記移動フレームの山形の頂点とほぼ一致する構成としてもよい。かかる構成によれば、操作フレームの中心と移動フレームの略への字の頂点を一致させ、操作フレームの中心を牽引可能とすることで、開閉操作時に移動フレームの傾きを防止できる。
【００１５】
また、前記吊下部材の上端が傾斜フレームに連結される箇所は、左右の各傾斜フレームの長さ方向のほぼ中心と一致する構成としてもよい。かかる構成によれば、操作フレームが左右の傾斜フレームの中心を牽引することで、開閉操作時に左右の傾斜フレームの傾きを防止できる。
【００１６】
また、前記カーテンの奥行方向の端部に複数の牽引手段を備え、前記各牽引手段の一端は、前記カーテンの奥行方向の端部に連結され、前記各牽引手段の他端は、連結部において相互に連結され、前記操作手段は、前記連結部に連結されるようにしてもよい。かかる構成によれば、カーテンを複数箇所においてそれぞれ牽引手段の一端に連結し、牽引手段の他端側を一つの操作手段にてまとめて操作できるため、安定して開閉操作することができる。
【００１７】
また、前記支持手段は、少なくとも３本のレール及びレール内を走行する複数のランナであり、前記３本のレールは中央上部に配置される中央レールと、前記中央レールよりも下方の位置で左右に配置される２本の端部レールと、から構成され、前記連結部の高さは、前記端部レールの設置高さよりも上方であるようにしてもよい。かかる構成によれば、連結部の高さをレールの設置高さよりも上方にすることで、各牽引手段が弛まずに連結されることになる。このため、操作手段を操作する力が確実に各牽引手段に伝達されるので、各牽引手段とカーテンとの連結部分を一斉に引くことができる。
【発明の効果】
【００１８】
本発明によれば、園芸用施設のカーテン開閉装置において、カーテン開閉装置の設置作業の負担及び設置コストを低減することが可能である。本発明のその他の効果については、後述する発明を実施するための形態においても説明する。
【図面の簡単な説明】
【００１９】
【図１】カーテン開閉装置１００が用いられた園芸用施設１０のカーテンを閉じた状態における全体構成を示す斜視図である。
【図２】カーテン開閉装置１００が用いられた園芸用施設１０のカーテンを途中まで開いた状態における全体構成を示す斜視図である。
【図３】カーテン開閉装置１００が用いられた園芸用施設１０の全体構成を示す正面図である。
【図４】カーテン開閉装置１００が用いられた園芸用施設１０の全体構成を示す側面図である。
【図５】カーテン開閉装置１００が用いられた園芸用施設１０の全体構成を示す平面図である。
【図６】基準のサイズの園芸用施設にカーテン開閉手段を取り付けた正面図である。
【図７】図６のものよりもアーチの傾斜角度が大きい園芸用施設にカーテン開閉手段を取り付けた正面図である。
【図８】図７のものよりもさらにアーチの傾斜角度が大きい園芸用施設にカーテン開閉手段を取り付けた正面図である。
【図９】カーテン開閉装置の動作を説明するための図である。
【図１０】カーテン開閉装置の動作を説明するための図である。
【図１１】第２の実施形態を説明するための図である。
【図１２】第３の実施形態のカーテン開閉装置が用いられた園芸用施設のカーテンを閉じた状態における全体構成を示す斜視図である。
【図１３】カーテンを閉じた状態を示す正面図である。
【図１４】カーテンを閉じた状態を示す側面図である。
【図１５】カーテンを途中まで開いた状態における全体構成を示す斜視図である。
【図１６】カーテンを畳み込んだ状態を示す正面図である。
【図１７】２枚のカーテンを別々に開閉できるカーテン開閉装置の一例を示した図である。
【図１８】２枚のカーテンを別々に開閉操作した状態を示す図である。
【発明を実施するための形態】
【００２０】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２１】
本実施形態に係るカーテン開閉装置１００は、園芸用施設１０に取り付けられるものである。まず、本実施形態に係るカーテン開閉装置１００が用いられた園芸用施設１０の全体構成と、園芸用施設１０に実施されたカーテン開閉装置１００の全体構成について、図１及び図２を参照しながら説明する。
【００２２】
本実施形態に係るカーテン開閉装置１００が用いられた園芸用施設１０は、図１及び図２に示したように、長手方向に平行に整列する複数のアーチフレーム１２と、アーチフレーム１２を奥行方向に連結する３本の母屋フレーム１４と、を備えて構成されている。通常、アーチフレーム１２の外周は、図示していないビニールシートによって覆われる。アーチフレーム１２の天井部分の形状は、図１及び図２に示したような山形である。母屋フレーム１４は、アーチフレーム１２の山形の頂点の近傍と、山形の両端に配設される。なお、本明細書において「山形」というときには、特に断りがない限り、両端から中央に向かって実質的に高さが増加する形態をいい、略への字型、アーチ形、円弧状などを含む。必ずしも左右対称でなくてもよい。
【００２３】
カーテン開閉装置１００は、図１及び図２に示したように、園芸用施設１０内に設けられる。カーテン開閉装置１００は、左右の傾斜フレーム１１１により山形をなす移動フレーム１１０と、移動フレーム１１０を支持し園芸用施設１０の奥行方向に案内する支持手段１２０と、移動フレーム１１０に連結され、移動フレーム１１０が支持手段１２０に沿って案内されることで、園芸用施設１０の奥行方向に沿って開閉するカーテン１３０と、左右の傾斜フレームにそれぞれ連結され、前記移動フレームの移動を操作するための操作手段２００と、を備える。
【００２４】
移動フレーム１１０は、図１及び図２に示したように、園芸用施設１０の奥行方向に沿って複数設けられており、カーテン１３０は、各移動フレーム１１０間にわたって連結されている。なお、本実施形態では、移動フレーム１１０を複数設ける構成としたが、移動フレーム１１０は１つでもよい。また、カーテン１３０は、１つあるいは２つ以上の移動フレーム１１０に連結される構成であればよい。
【００２５】
以下、本実施形態のカーテン開閉装置１００の各構成要素について、図３〜図５を参照しながら説明する。
【００２６】
（移動フレーム１１０）
移動フレーム１１０は、図３に示したように、主に、山形（略への字型）に構成される左右の傾斜フレーム１１１よりなる。左右の傾斜フレーム１１１は、山形のベースフレーム１１２と、ベースフレーム１１２の両端部に相対移動可能に連結される補助フレーム１１４と、から構成される。
【００２７】
ベースフレーム１１２は、図３に示したように、主に、同じ形状に構成された２つのベースフレーム構成部材１１２ａ−１、１１２ａ−２から成る。各ベースフレーム構成部材１１２ａ−１、１１２ａ−２は、基端部１１２ｂ−１、１１２ｂ−２同士が連結部材１１２ｃで相対回転自在に連結されている。よって、ベースフレーム１１２は２つのベースフレーム構成部材１１２ａ−１、１１２ａ−２によって形成する角度を変更することによって、山形の角度が自由に変更される。なお、本実施形態では、ベースフレーム１１２は山形の角度が自由に変更される構成としたが、この例に限定されず、角度は固定でもよい。
【００２８】
補助フレーム１１４は、図３に示したように、ベースフレーム１１２の両端部に相対移動可能に連結される。このような構成により、補助フレーム１１４のベースフレーム１１２からの突出長さを変えることにより、左右の傾斜フレーム１１１の長さが変更される。補助フレーム１１４の下部には、後述する操作手段２００のチェーン２０２を連結するための連結部１１５が設けられており、連結部１１５は、補助フレーム１１４に沿って移動可能である。なお、本実施形態では、左右の傾斜フレーム１１１の長さが変更されるようにしたが、左右の傾斜フレーム１１１の長さは固定でもよい。また、連結部１１５は、補助フレーム１１４に対して固定されていてもよい。
【００２９】
移動フレーム１１０には、ベースフレーム１１２の下部と補助フレーム１１４の下部にカーテン１３０が連結される。また、ベースフレーム１１２の山形の頂点の上部と、各補助フレーム１１４の上部に、後述する支持手段１２０のフック１２６に揺動自在に係止される係止部材１１６が設けられている。
【００３０】
（支持手段１２０）
支持手段１２０は、図３〜図５に示したように、園芸用施設１０の３か所に設けられている母屋フレーム１４にそれぞれ１つずつ固定されている。支持手段１２０は、園芸用施設１０の奥行き方向に配設される長尺状のレール１２２と、レール１２２を走行するランナ１２４と、ランナ１２４から吊り下げられたフック１２６と、レール１２２と母屋フレーム１４とを固定する固定具１２８と、を備えて構成される。
【００３１】
レール１２２は、図４及び図５に示したように、母屋フレーム１４とほぼ同様の長さに構成されており、母屋フレーム１４に沿って、園芸用施設１０の奥行き方向に延びるように配置される。レール１２２は、長手方向の複数個所において、固定具１２８によって母屋フレーム１４に固定されている。
【００３２】
ランナ１２４は、図４に示したように、レール１２２に複数設けられており、レール１２２に沿って走行可能である。各ランナ１２４からはフック１２６が吊り下げられており、フック１２６は、移動フレーム１１０の係止部材１１６を揺動自在材に係止する。このようにして、レール１２２は、複数の移動フレーム１１０を支持する。よって、移動フレーム１１０は、レール１２２に沿って園芸用施設１０の奥行き方向に移動する。
【００３３】
（カーテン１３０）
再び、図３〜図５を参照しながら、カーテン１３０の構成を説明する。カーテン１３０は、図３に示したように、移動フレーム１１０に取り付けられる。より詳細には、カーテン１３０は、ベースフレーム１１２の下部と補助フレーム１１４の下部に連結される。このように連結されることによって、カーテン１３０は、移動フレーム１１０の形状に沿って、移動フレーム１１０の幅全体にわたって取り付けられる。また、カーテン１３０の長さは、図４に示したように、レール１２２の長手方向ぼぼ全長にわたり、各移動フレーム１１０間を渡るように取り付けられている。
【００３４】
また、カーテン１３０には、図５に示したように、移動フレーム１１０の山形の頂点に対応する位置に複数のスリット１３４が形成されている。各スリット１３４は、隣り合う被係合部１３２の間に延びるように形成されている。スリット１３４は、主に、カーテン１３０が畳み込まれた際に、カーテン１３０の皺が一部に集中することを回避し、畳代の増大を防止するとともに綺麗に畳まれるようにするものである。また、スリット１３４によって、カーテン１３０内に貯まる日射熱を放出することができる。
【００３５】
（操作手段２００）
次に、本実施形態の特徴的部分である操作手段２００について、図３〜図５を参照しながら説明する。操作手段２００は、図４中の左端部、すなわち、カーテン１３０の奥行方向の手前に配置される移動フレーム１１０に設けられ、支持手段１２０に沿って園芸用施設１０の奥行き方向に移動フレーム１１０を移動させるためのものである。
【００３６】
操作手段２００は、図３に示したように、左右の傾斜フレーム１１１の補助フレーム１１４に上端が連結される左右一対のチェーン（吊下部材）２０２と、左右一対のチェーン２０２の下端が連結される操作フレーム２０４と、操作フレーム２０４に設けられるグリップ２０６と、によって構成される。なお、吊下部材は、チェーン２０２に限定されず、紐、コード、テープ、ワイヤ、フックなどが挙げられ、操作フレーム２０４を連結可能であれば吊下長さは問わない。
【００３７】
左右一対のチェーン２０２の上端は、左右の各傾斜フレーム１１１の長さ方向中心位置において、各補助フレーム１１４の連結部１１５に揺動自在に連結されており、鉛直に吊り下げられている。また、左右一対のチェーン２０２の下端は、操作フレーム２０４の両端を支持しており、このため、操作フレーム２０４は、補助フレーム１１４に対して揺動自在である。左右一対のチェーン２０２が補助フレーム１１４に連結される位置は、操作フレーム２０４の長さ方向（園芸用施設１０の幅方向）の中心が、移動フレーム１１０の山形の頂点とほぼ一致するように配置される位置である。
【００３８】
チェーン２０２の補助フレーム１１４に対する連結位置は、連結部１１５によって移動可能である。よって、補助フレーム１１４がベースフレーム１１２に対して相対移動するときに、補助フレーム１１４の移動量に応じてチェーン２０２の連結位置を移動させることで、チェーン２０２の上端を傾斜フレーム１１１の長さ方向中心位置に連結することができる。なお、本実施形態では、チェーン２０２の補助フレーム１１４に対する連結位置は、移動可能とされているが、固定されていてもよい。
【００３９】
グリップ２０６は、これを持って移動フレーム１１０を押したり、引っ張ったりすることにより、後述するように、移動フレーム１１０を園芸用施設１０の奥行き方向に移動させるものである。また、グリップ２０６は、操作フレーム２０４の長さ方向（園芸用施設１０の幅方向）の中心に設けられており、操作フレーム２０４の長さ方向の中心は、前述のように、移動フレーム１１０の山形の頂点とほぼ一致する。よって、グリップ２０６の位置は移動フレーム１１０の山形の頂点とほぼ一致するため、移動フレーム１１０の中心が牽引可能とされる。このため、開閉操作時に移動フレーム１１０の傾きが防止される。また、操作フレーム２０４が移動フレーム１１０を牽引する位置が左右の傾斜フレーム１１１の長さ方向中心位置となるため、開閉操作時に傾斜フレーム１１１の傾きが防止される。
【００４０】
なお、本実施形態では、操作手段２００を図４中の左端部に配置される移動フレーム１１０に設けたが、操作手段２００が設けられる移動フレーム１１０は、この例に限定されない。例えば、図４中の右端部に配置される移動フレーム１１０に設けたり、両端部の移動フレーム１１０に設けたりするなど、適宜設計することができる。さらに、操作手段２００が設けられない端部側の移動フレーム１１０は、移動不能に固定してもよい。
【００４１】
このように、操作手段２００は移動フレーム１１０の左右の傾斜フレーム１１１にそれぞれ連結されるよう構成されるため、操作手段２００は移動フレーム１１０の２箇所のポイントを安定して牽引できる。よって、移動フレーム１１０の左右のバランスをとりながら牽引できるため、後述するように、カーテン１３０の開閉がスムーズに行われる。
【００４２】
また、図４中の左端部に配置される１つの移動フレーム１１０に操作手段２００を連結するだけでよいため、複数の開閉装置が不要になり、設置作業の負担及び設置コストを低減できる。
【００４３】
以上、カーテン開閉装置１００の構成について説明した。次に、移動フレーム１１０の角度や幅を変更したときの、操作手段２００の作用について、図６〜図８を参照しながら説明する。ここでは、図６に示す園芸用施設１０の形状を基準形とする。そして、基準形の園芸用施設１０とは形状が異なる園芸用施設を、図７に示す園芸用施設２０、及び図８に示す園芸用施設３０とする。
【００４４】
図７に示す園芸用施設２０は、基準形のものよりもアーチフレーム２２のアーチ２２ａの傾斜角度が大きくなり、側壁２２ｂの間の幅が小さくなっている。また、図８に示す園芸用施設３０は、園芸用施設２０のものよりもアーチフレーム３２のアーチ３２ａの傾斜角度が大きく、側壁３２ｂ間の幅が基準形の園芸用施設１０よりも大きくなっている。
【００４５】
これら３つの園芸用施設１０、２０、３０に用いられている移動フレーム１１０は同一のものであり、同一の移動フレーム１１０の形状を変更することによって、各園芸用施設１０、２０、３０に対応させている。移動フレーム１１０の形状の変更は、左右対称になるように行われる。また、移動フレーム１１０に用いられている操作手段２００も同一のものであり、同一の操作手段２００の移動フレーム１１０への取り付け位置を変更することによって、対応させている。
【００４６】
移動フレーム１１０を、図６に示す基準型の園芸用施設１０から、図７に示す基準形の園芸用施設１０よりもアーチフレーム２２のアーチ２２ａの傾斜角度が大きく、対向する側壁２２ｂの間の幅が小さい園芸用施設２０に用いた場合について説明する。
【００４７】
（１）園芸用施設１０（図６）
まず、移動フレーム１１０が基準形の園芸用施設１０に用いられる場合について説明する。図６に示したように、このときの操作手段２００は、左右一対のチェーン２０２が移動フレーム１１０の左右の補助フレーム１１４から鉛直に吊り下げられ、グリップ２０６の位置が移動フレーム１１０の山形の頂点とほぼ一致している状態である。
【００４８】
（２）園芸用施設２０（図７）
次に、移動フレーム１１０が、基準形の園芸用施設１０よりもアーチフレーム２２のアーチ２２ａの傾斜角度が大きく、対向する側壁２２ｂの間の幅が小さい園芸用施設２０に用いられる場合について説明する。
【００４９】
図７に示したように、移動フレーム１１０は、園芸用施設２０に用いられるとき、ベースフレーム１１２の傾斜角度が大きくされ、補助フレーム１１４のベースフレーム１１２からの突出長さが短くされる。補助フレーム１１４の突出長さが短くなるため、操作手段２００の左右一対のチェーン２０２と補助フレーム１１４との連結位置が水平方向において近づく。よって、連結部１１５を補助フレーム１１４の先端方向に移動させて、左右一対のチェーン２０２と補助フレーム１１４との連結位置を補助フレームの先端方向に移動させる。
【００５０】
これにより、左右一対のチェーン２０２を移動フレーム１１０の左右の補助フレーム１１４から鉛直に吊り下げ、グリップ２０６の位置を移動フレーム１１０の山形の頂点とほぼ一致させることができる。
【００５１】
このように、基準形の園芸用施設１０とは形状が異なる園芸用施設２０に用いるために、移動フレーム１１０の形状が変化しても、同一の操作手段２００の補助フレーム１１４への連結位置を変更するだけで対応することができる。
【００５２】
（３）園芸用施設３０（図８）
次に、移動フレーム１１０が、園芸用施設２０よりもアーチフレーム３２のアーチ３２ａの傾斜角度が大きく、基準形の園芸用施設１０よりも対向する側壁３２ｂの間の幅が大きい園芸用施設３０に用いられる場合について説明する。
【００５３】
図８に示したように、移動フレーム１１０は、園芸用施設３０に用いられるとき、ベースフレーム１１２の傾斜角度が大きくされ、補助フレーム１１４のベースフレーム１１２からの突出長さが長くされる。補助フレーム１１４の突出長さが長くなるため、操作手段２００の左右一対のチェーン２０２と補助フレーム１１４との連結位置が水平方向において遠ざかる。よって、連結部１１５をベースフレーム１１２に近づく方向に移動させて、左右一対のチェーン２０２と補助フレーム１１４との連結位置をベースフレーム１１２に近づく方向に移動させる。
【００５４】
これにより、左右一対のチェーン２０２を移動フレーム１１０の左右の補助フレーム１１４から鉛直に吊り下げ、グリップ２０６の位置を移動フレーム１１０の山形の頂点とほぼ一致させることができる。
【００５５】
このように、移動フレーム１１０の山形の幅や角度が変化しても、操作手段２００の移動フレーム１１０への連結位置を変更するだけでよいため、同一の操作手段２００で対応することができる。
【００５６】
以上、移動フレーム１１０の幅や角度を変更したときの、操作手段２００の作用について説明した。次に、カーテン開閉装置１００の動作について、図９及び図１０を参照しながら説明する。図９は、カーテン１３０を開ける動作を示し、図１０はカーテン１３０を閉じる動作を示す。
【００５７】
（カーテン開閉装置１００の動作）
まず、図９を参照しながら、カーテン１３０を開ける動作について説明する。図９（ａ）中左端部に配置されている移動フレーム１１０−１の操作手段２００のグリップ２０６を持って、移動フレーム１１０−１を図９中の右方向に押していく。これにより、左端部の移動フレーム１１０−１に連結されている左端部のランナ１２４が、レール１２２に沿って図９中の右方向に移動していく。
【００５８】
グリップ２０６を持って、移動フレーム１１０−１を押していくときに、左右一対のチェーン２０２によって、移動フレーム１１０−１の左右のバランスをとりながら牽引できる。よって、移動フレーム１１０−１がスムーズに移動していく。左端部の移動フレーム１１０−１のランナ１２４がこれの右隣りの移動フレーム１１０−２のランナ１２４に当接すると、両移動フレーム１１０−１、１１０−２が一体に移動していく。
【００５９】
このように、左端部の移動フレーム１１０−１が右方向に移動していくにつれて、これよりも右側に配置されている移動フレーム１１０は、順次一体に移動していく。よって、図９（ｂ）に示したように、各移動フレーム１１０が順次移動して、カーテン１３０を畳み込んでいく。そして、図９（ｃ）に示したように、全ての移動フレーム１１０がレール１２２の右端部に移動すると、カーテン１３０が完全に畳み込まれる。このようにして、カーテン１３０が開けられる。
【００６０】
次に、図１０を参照しながら、カーテン１３０を閉じる動作について説明する。図１０（ａ）中左端部に配置されている移動フレーム１１０の操作手段２００のグリップ２０６を持って、移動フレーム１１０を図中左方向に引っ張っていく。これにより、左端部の移動フレーム１１０に連結されている左端部のランナ１２４が、レール１２２に沿って図中左方向に移動していく。図１０（ｂ）に示したように、左端部の移動フレーム１１０とこれの右隣りの移動フレーム１１０との間のカーテン１３０が完全に展開すると、右隣りの移動フレーム１１０は、カーテン１３０に引っ張られて、左端部の移動フレーム１１０と一体に移動していく。
【００６１】
この後、左端部の移動フレーム１１０の移動を継続することによって、この動作が順次繰り返される。そして、左端部の移動フレーム１１０がレール１２２の左端部まで移動すると、図１０（ｃ）に示したように、カーテン１３０が完全に展開する。このようにして、カーテン１３０が閉じられる。
【００６２】
（第1の実施形態の効果）
以上説明したように、本実施形態によれば、カーテン１３０に連結された移動フレーム１１０に対し、操作手段２００を移動フレーム１１０の左右の補助フレーム１１４にそれぞれ連結されるよう構成されるため、操作手段２００は移動フレームの２箇所のポイントを安定して牽引できる。よって、１つの移動フレーム１１０に操作手段２００を連結するだけでよいため、複数の開閉装置が不要になり、設置作業の負担及び設置コストを低減できる。
【００６３】
また、操作手段２００を構成する左右一対のチェーン２０２によって、移動フレーム１１０の左右のバランスをとりながら牽引できるため、カーテン１３０の開閉をスムーズに行うことができる。
【００６４】
また、操作フレーム２０４の中心と移動フレーム１１０の山形（略への字）の頂点が一致させられているため、操作フレーム２０４の中心が牽引可能とされる。よって、開閉操作時に移動フレーム１１０の傾きを防止できる。
【００６５】
なお、本実施形態において、移動フレーム１１０の形状を変更させた際に、チェーン２０２の連結位置を変更したが、この例に限定されない。移動フレーム１１０に対するチェーン２０２の連結位置を固定にしてもよい。移動フレーム１１０に対するチェーン２０２の連結位置を固定にすると、移動フレーム１１０の形状を変更させた際に、チェーン２０２は鉛直以外の角度で操作フレーム２０４を支持する状態になる場合がある。
【００６６】
しかし、移動フレーム１１０の形状の変更は左右対称に行われるため、この場合でも、操作フレーム２０４の長さ方向（園芸用施設１０の幅方向）の中心は、移動フレーム１１０の山形の頂点とほぼ一致する状態になる。このため、開閉操作時の移動フレームの移動に支障をきたすことはない。
【００６７】
（第２の実施形態）
次に、本発明の第２の実施形態について、図１１を参照しながら説明する。本実施形態のカーテン開閉装置３００では、図１１に示したように、移動フレーム３１０の左右の傾斜フレーム３１１が、第１の実施形態のベースフレーム１１２よりもベースフレーム３１２の長さが長く、ベースフレーム３１２が長くなった分、補助フレーム３１４の長さが短く構成されている。そして、操作手段４００がベースフレーム３１２に連結されているものである。その他、支持手段３２０、カーテン３３０、チェーン４０２、操作フレーム４０４、グリップ４０６などの構成については、第１の実施形態と同様であるため、説明を省略する。
【００６８】
本実施形態のカーテン開閉装置３００では、操作手段４００の左右一対のチェーン４０２は、ベースフレーム３１２に設けられた連結部３１５に揺動自在に連結されている。本実施形態でも、第１の実施形態と同様に、左右一対のチェーン４０２がベースフレーム３１２に連結される位置は、左右一対のチェーン４０２が鉛直に吊り下げられ、操作フレーム４０４の長さ方向（園芸用施設の幅方向）の中心が、移動フレーム３１０の山形の頂点とほぼ一致するように配置される位置である。
【００６９】
本実施形態では、連結部３１５は、ベースフレーム３１２に沿って移動可能に設けられているものとするが、この例に限定されず、連結部３１５はベースフレーム３１２に固定されていてもよい。
【００７０】
次に、移動フレーム３１０の角度や幅を変更したときの、操作手段４００の作用について説明する。まず、移動フレーム３１０の幅、すなわち傾斜フレーム３１１の長さを変更したときの操作手段４００の作用について説明する。
【００７１】
傾斜フレーム３１１の長さを変更するときには、ベースフレーム３１２に対して補助フレーム３１４を相対移動させる。このように、連結部３１５はベースフレーム３１２に設けられているため、ベースフレーム３１２に対して補助フレーム３１４を相対移動させても、連結部３１５の連結位置は変わらない。よって、連結部３１５の位置を変更する作業を行わなくてもよいため、設置作業がより簡単になる。
【００７２】
次に、移動フレーム３１０の角度を変更したときの操作手段４００の作用について説明する。ベースフレーム３１２の角度を変更する場合は、連結部３１５をベースフレーム３１２に沿って移動させることによって、チェーン４０２の連結位置を変更する。これにより、操作フレーム４０４の長さ方向（園芸用施設の幅方向）の中心が、移動フレーム３１０の山形の頂点とほぼ一致するように配置されるようにすることができる。
【００７３】
なお、連結部３１５がベースフレーム３１２に固定されている場合は、移動フレーム３１０の角度を変更したときに、チェーン４０２は鉛直より傾いて吊り下げられる。しかし、操作フレーム２０４の長さ方向（園芸用施設の幅方向）の中心が、移動フレーム１１０の山形の頂点とほぼ一致するように配置されるため、移動フレーム３１０の中心が牽引可能とされる。よって、開閉操作時に移動フレーム３１０の傾きが防止される。
【００７４】
（第２の実施形態の効果）
以上説明したように、本実施形態によれば、第１の実施形態の効果に加えて、連結部３１５がベースフレーム３１２に設けられているため、傾斜フレーム３１１の長さを変更するために、ベースフレーム３１２に対して補助フレーム３１４を相対移動させても、連結部３１５の連結位置は変わらない。よって、連結部３１５の位置を変更する作業を行わなくてもよいため、設置作業がより簡単になる。
【００７５】
（第３の実施形態）
次に、本発明の第３の実施形態について、図１２〜図１４を参照しながら説明する。図１２は、本実施形態のカーテン開閉装置が用いられた園芸用施設のカーテンを閉じた状態における全体構成を示す斜視図である。図１３は、カーテンを閉じた状態を示す正面図である。図１４は、カーテンを閉じた状態を示す側面図である。本実施形態のカーテン開閉装置５００では、図１２に示したように、第１の実施形態の移動フレーム１１０が設けられておらず、カーテン１３０が移動フレーム１１０を介さず支持手段１２０に直接支持されている点が第１の実施形態と相違する。本実施形態では、上記第１の実施形態と異なる点を中心に説明する。実質的に同一の機能構成を有する構成要素については、同一の符号を付することにより重複説明を省略する。
【００７６】
本実施形態のカーテン開閉装置５００は、図１２に示したように、園芸用施設１０の奥行方向に配置される複数の支持手段１２０と、支持手段１２０によって支持され、支持手段１２０に沿って案内されることで、園芸用施設１０の奥行方向に沿って開閉するカーテン１３０と、カーテン１３０の奥行方向の端部、すなわち、カーテン１３０の奥行方向の手前から垂下し、カーテン１３０の開閉を操作する操作手段６００と、を備える。カーテン１３０の奥行方向の端部にそれぞれ複数の牽引手段６１０、６１２、６１４の一端が連結され、各牽引手段６１０、６１２、６１４の他端同士は連結部において相互に連結され、操作手段６００は連結部６１６から垂下する。
【００７７】
ここで、本実施形態のカーテン開閉装置５００において、園芸用施設１０、支持手段１２０のレール１２２及びランナ１２４は第１の実施形態のレール１２２及びランナ１２４と同様であるため、説明を省略する。
【００７８】
カーテン１３０は、図１３に示したように、幅方向の両端部と中央部に円形の開口部１３６−１、１３６−２、１３６−３が形成されている。開口部１３６−１、１３６−２、１３６−３の周囲はハトメが設けられて補強されている。カーテン１３０の中央部の開口部１３６−１は、園芸用施設１０の中央に配置される中央レール１２２−１のランナ１２４−１に連結されている。また、カーテン１３０の両端部の開口部１３６−２、１３６−３は、園芸用施設１０の両端に配置される端部レール１２２−２、１２２−３のランナ１２４−２、１２４−３に連結されている。カーテン１３０は、図１４に示したように、園芸用施設１０の奥行き方向複数箇所で支持手段１２０に支持されている。
【００７９】
カーテン１３０の開閉の起端部には、図１３に示したように、３つの牽引手段６１０、６１２、６１４が設けられている。中央の牽引手段６１０の一端は中央レール１２２−１のランナ１２４−１に連結され、両端の牽引手段６１２、６１４の一端は端部レール１２２−２、１２２−３のランナ１２４−２、１２４−３に連結されている。また、３つの牽引手段６１０、６１２、６１４の他端同士は連結されている。３つの牽引手段６１０、６１２、６１４の他端同士の連結部の高さは、端部レール１２２−２、１２２−３の高さよりも上方に設けられる。３つの牽引手段６１０、６１２、６１４の他端同士の連結部６１６から操作手段６００が垂下する。３つの牽引手段６１０、６１２、６１４及び操作手段６００は、本実施形態ではチェーンで構成されているが、紐やベルトなどで構成されてもよい。
【００８０】
本実施形態のカーテン開閉装置５００の動作について、図１５及び図１６を参照しながら説明する。図１５は、カーテン１３０が一部畳み込まれた状態を示す斜視図であり、図１６は、カーテン１３０を畳み込んだ状態を示す正面図である。
【００８１】
カーテン１３０を開けるときには、図１５に示す操作手段６００を持って園芸用施設１０の奥方向に移動する。これにより、３つの牽引手段６１０、６１２、６１４の連結部６１６が操作手段６００に引っ張られて、３つの牽引手段６１０、６１２、６１４の一端がそれぞれが連結されている３つのランナ１２４−１、１２４−２、１２４−３を一斉に園芸用施設１０の奥方向に引っ張る。このため、各ランナ１２４−１、１２４−２、１２４−３がレール１２２−１、１２２−２、１２２−３に沿って園芸用施設１０の奥方向に移動していく。よって、カーテン１３０が、図１５及び図１６に示したように、畳み込まれていく。このようにして、カーテン１３０が開けられる。
【００８２】
次に、カーテン１３０を閉じるときには、図１５に示す操作手段６００を持って園芸用施設１０の手前方向に移動する。これにより、３つの牽引手段６１０、６１２、６１４の連結部６１６が操作手段６００に引っ張られて、３つの牽引手段６１０、６１２、６１４の一端がそれぞれが連結されている３つのランナ１２４−１、１２４−２、１２４−３を一斉に園芸用施設１０の手前方向に引っ張る。このため、各ランナ１２４−１、１２４−２、１２４−３がレール１２２−１、１２２−２、１２２−３に沿って園芸用施設１０の手前方向に移動していく。よって、畳み込まれていたカーテン１３０が、展開していく。このようにして、カーテン１３０が閉じられる。
【００８３】
（第３の実施形態の効果）
以上説明したように、本実施形態によれば、第１の実施形態の効果に加えて、カーテン開閉装置５００は、支持手段１２０、カーテン１３０及び操作手段６００で構成されるため、部材が少なく、カーテン開閉装置５００の設置作業の負担及び設置コストを低減することができる。また、カーテン１３０の支持手段１２０によって支持される部分から操作手段６００を垂下させるため、安定して開閉操作することができる。
【００８４】
また、カーテン１３０の開閉の起端部にそれぞれ３つの牽引手段６１０、６１２、６１４の一端を連結し、各牽引手段６１０、６１２、６１４の他端同士を連結し、操作手段６００は各牽引手段６１０、６１２、６１４の他端同士の連結部６１６から垂下するようにしたので、３つの牽引手段６１０、６１２、６１４を一つの操作手段６００にてまとめて操作できるため、安定して開閉操作することができる。
【００８５】
また、各牽引手段６１０、６１２、６１４同士の連結部６１６の高さを端部レール１２２−２、１２２−３の設置高さよりも上方に設けられるようにしたので、各牽引手段６１０、６１２、６１４が弛まずに連結されることになる。このため、操作手段６００を操作する力が確実に各牽引手段６１０、６１２、６１４に伝達されるので、カーテン１３０の各牽引手段６１０、６１２、６１４との連結部分を一斉に引くことができる。
【００８６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００８７】
例えば、上記実施形態では、操作手段をカーテンの奥行方向の一方の端部（すなわち、カーテンの奥行方向の手前）に連結したが、本発明はこの例に限定されない。例えば、操作手段をカーテンの奥行方向の奥側の端部に連結したり、手前と奥側の両方の端部に連結したりしてもよい。
【００８８】
また、操作手段が連結されるカーテンの奥行方向の端部とは、厳密な端部ではなく端部近傍も含まれる。
【００８９】
また、カーテンの奥行方向の端部とは、入り口が２か所ある園芸用施設の場合はどちら側でもよい。さらにこの場合、操作手段をカーテンの手前と奥側の両方の端部に連結すると、いずれの入り口から入っても、カーテンを操作しやすい。
【００９０】
また、カーテンが畳み込まれる方向を奥行方向の一方向としたが、両方向に畳み込まれるようにしてもよく、状況に応じて適宜畳み込まれる方向を変更してもよい。
【００９１】
また、上記第１の実施形態では、ベースフレーム１１２は、山形の形状をなし、山形の傾斜角度が可変である構成としたが、本発明は、この例に限定されない。例えば、ベースフレーム１１２の形状は、直線状など、様々な形状とすることができる。また、山形の傾斜角度は固定とすることができる。
【００９２】
また、操作手段２００は、左右の傾斜フレーム１１１に上端を連結される左右一対のチェーン２０２と、各チェーン２０２の下端が連結される操作フレーム２０４と、を備えた構成としたが、本発明は、この例に限定されない。左右の傾斜フレーム１１１に、例えば、一体に構成されている略コ字状のグリップや半円状のグリップなどを直接連結してもよい。
【００９３】
また、上記第１の実施形態では、操作フレーム２０４の長さ方向（園芸用施設の幅方向）の中心が、移動フレーム１１０の山形の頂点とほぼ一致する構成としたが、本発明は、この例に限定されない。操作手段２００は、移動フレーム１１０の山形の中心の頂点とほぼ一致する点に移動操作するための力が掛かる構成であればよい。
【００９４】
また、上記第１の実施形態では、操作フレーム２０４にグリップ２０６を設けたが、例えば、グリップ２０６を設けず、操作フレーム２０４を直接握って操作してもよい。この場合、例えば、操作フレーム２０４の長さ方向中心に印を付けておくと、移動フレーム１１０を移動操作するための力が、移動フレーム１１０の山形の中心の頂点とほぼ一致する点に加わる。よって、移動フレーム１１０が傾かず、スムーズに移動させることができる。
【００９５】
また、上記第１の実施形態では、操作フレーム２０４にグリップ２０６を設けたが、例えば、グリップ２０６を設けず、操作フレーム２０４の中心にワイヤを連結し、園芸用施設の奥行方向にある妻壁付近においてワイヤを操作できるようにしても良い。この場合でも、ワイヤの牽引による移動フレーム１１０を移動操作するための力が、移動フレーム１１０の山形の中心の頂点とほぼ一致する点に加わる。よって、移動フレーム１１０が傾かず、スムーズに移動させることができる。
【００９６】
また、上記第３の実施形態では、操作手段６００を垂下させる構成について説明したが、本発明はこの例に限定されない。例えば、操作手段６００を二股状に構成し、操作手段６００の２つの自由端をそれぞれ別々の巻取り機構に連結し、一方の自由端が巻き取られるときに他方の自由端が巻き解かれるようにすることにより、カーテン１３０を開閉させるようにしてもよい。
【００９７】
また、上記第３の実施形態では、操作手段６００を人が操作する構成について説明したが、本発明はこの例に限定されない。例えば、操作手段６００は電動で操作されてもよい。
【００９８】
また、上記第３の実施形態では、牽引手段６１０、６１２、６１４をランナ１２４に連結したが、本発明はこの例に限定されず、牽引手段６１０、６１２、６１４はカーテンの奥行方向の端部の適当な位置に連結されればよい。例えば、牽引手段６１０、６１２、６１４をカーテン１３０の開口部１３６−１、１３６−２、１３６−３に連結したり、カーテン１３０の開口部１３６−１、１３６−２、１３６−３以外の部分に連結したりしてもよい。
【００９９】
また、上記第３の実施形態では、操作手段６００を３つの牽引手段６１０、６１２、６１４の連結部６１６に連結したが、本発明はこの例に限定されない。例えば、操作手段６００は、カーテン１３０の開口部１３６−１、１３６−２、１３６−３、カーテン１３０の適宜位置、又はランナ１２４−１、１２４−２、１２４−３に直接連結してもよい。また、操作手段６００を連結する箇所及び数は適宜設計することができる。さらに、牽引手段６１０を長く垂下させ、牽引手段６１２、６１４の端部が牽引手段６１０に途中高さに連結される位置を連結部６１６とし、連結部６１６よりも下の部分を操作手段６００としてもよい。
【０１００】
また、上記第３の実施形態では、牽引手段６１０、６１２、６１４の数を３つとしたが、本発明はこの例に限定されない。例えば、牽引手段はレール１２２の数に応じた数にしたり、カーテン１３０の大きさに応じた数にしたりするなど、牽引手段の数は適宜設計することができる。
【０１０１】
また、上記第３の実施形態では、各牽引手段６１０、６１２、６１４同士の連結部６１６の高さを端部レール１２２−２、１２２−３の設置高さよりも上方に設けられるようにしたが、本発明はこの例に限定されない。例えば、各牽引手段６１０、６１２、６１４同士の連結部６１６の高さを端部レール１２２−２、１２２−３の設置高さと同じ高さに設けたり、下方に設けたりすることもできる。
【０１０２】
また、操作手段６００が垂下するカーテン１３０の奥行き方向の端部とは、厳密に端部ではなく端部近傍でもよい。
【０１０３】
また、上記第１〜第３の実施形態では、設置されたカーテン１３０を一斉に開閉する構成を説明したが、園芸用施設１０の幅方向中央で左右に２分割されたカーテン１３０を左右別々に開閉するようにしてもよい。このような応用例を第３の実施形態を例にとって説明すると、例えば、図１７に示したように、園芸用施設１０の中央に中央レール１２２−１を２本並設し、一方の中央レール１２２−１とこれと向かい合う端部レール１２２−２とで左右のカーテン１３０をそれぞれ支持する。そして、左右のカーテン１３０に第３の実施形態と同じ機能を有する操作手段６００を設ける。このような構成により、一方の操作手段６００を引っ張ると、図１８に示したように、一方のカーテン１３０のみが開閉する。これにより、時間帯や日差しの有無に合わせて、カーテン１３０を一部のみ開閉することが可能となる。また、左右の操作手段６００を同時に引っ張るか、左右の操作手段６００を連結して引っ張ることで、左右のカーテン１３０を同時に開閉することができる。なお、カーテン１３０を分割する数は２分割のみならず適宜設計することができ、中央レール１２２−１は２本のレールを並設する構成を例示したが、ランナが走行可能なレール溝が左右に並設される１本の中央レールによって構成することもできる。
【符号の説明】
【０１０４】
１０、２０、３０  園芸用施設
１２  アーチフレーム
１４  母屋フレーム
２２  アーチフレーム
２２ａ  アーチ
２２ｂ  側壁
３２  アーチフレーム
３２ａ  アーチ
３２ｂ  側壁
１００、３００、５００  カーテン開閉装置
１１０、１１０−１、１１０−２、・・・、３１０  移動フレーム
１１１、３１１  傾斜フレーム
１１２、３１２  ベースフレーム
１１２ａ−１、１１２ａ−２  ベースフレーム構成部材
１１２ｂ−１、１１２ｂ−２  基端部
１１２ｃ  連結部材
１１４、３１４  補助フレーム
１１５、３１５  連結部
１１６  係止部材
１２０、３２０  支持手段
１２２  レール
１２２−１  中央レール
１２２−２、１２２−２  端部レール
１２４、１２４−１、１２４−２、１２４−３  ランナ
１２６  フック
１２８  固定具
１３０、３３０  カーテン
１３２  被係合部
１３４  スリット
１３６−１、１３６−２、１３６−３  開口部
２００、４００、６００  操作手段
２０２、４０２  チェーン
２０４、４０４  操作フレーム
２０６、４０６  グリップ
６１０、６１２、６１４  牽引手段
６１６  連結部
【図１】
0006684161.tif 000002
【図２】
0006684161.tif 000003
【図３】
0006684161.tif 000004
【図４】
0006684161.tif 000005
【図５】
0006684161.tif 000006
【図６】
0006684161.tif 000007
【図７】
0006684161.tif 000008
【図８】
0006684161.tif 000009
【図９】
0006684161.tif 000010
【図１０】
0006684161.tif 000011
【図１１】
0006684161.tif 000012
【図１２】
0006684161.tif 000013
【図１３】
0006684161.tif 000014
【図１４】
0006684161.tif 000015
【図１５】
0006684161.tif 000016
【図１６】
0006684161.tif 000017
【図１７】
0006684161.tif 000018
【図１８】
0006684161.tif 000019